(57)【要約】【課題】嵌入時の姿勢バランスを崩す一因となる不測の外力の影響を受けないようにして、機器筐体への組込み誤りを確実に防止できるようにする。【解決手段】提供するスライドスイッチ１５は、スライドプレート１６と、このスライドプレート１６の裏面側に設けられて、リアカバーケース２の取付け開口部８に嵌入される左右一対の嵌入片１７、１７と、マクロレバー４を把持するための把持片１８、１８と、スライドプレート１５の表面側に設けられて、操作者が操作するための爪掛けボタン２２とから概略構成されている。各嵌入片１７には、突隆部２３を、対応する嵌入片１７の側縁部に向かって下降傾斜する方向に切り欠く態様の斜め切欠部２４が設けられている。左右の斜め切欠部２４、２４は、組立時、嵌入片１７、１７が取付け開口部８に嵌入される際、協働して、一対の嵌入片１７、１７の左右間の姿勢バランスを安定状態に保持する機能を担っている。【選択図】図１
2008047415.tif 000002
【特許請求の範囲】
【請求項１】
基体と、被嵌合部に嵌入される左右一対の嵌入片とを備える嵌合部材であって、
前記一対の嵌入片は、前記被嵌合部への嵌入を可能とするための所定の可撓性を有すると共に、相対向して、かつ、互いに所定距離隔てられる態様で、前記基体の一の面に立設され、
各嵌入片には、その先端部の外方側に嵌入後容易離脱防止用の突隆部と、前記左右一対の嵌入片が、前記被嵌合部に嵌入する際の左右間の姿勢バランスを安定に保つためのバランス保持部とが設けられていることを特徴とする嵌合部材。
【請求項２】
基体と、被嵌合部に嵌入される左右一対の嵌入片とを備えると共に、嵌入後、前記被嵌合部に対して摺動可能な構成で使用される嵌合部材であって、
前記一対の嵌入片は、前記被嵌合部への嵌入を可能とするための所定の可撓性を有すると共に、相対向して、かつ、互いに所定距離隔てられる態様で、前記基体の一の面に立設され、
各嵌入片には、その先端部の外方側に嵌入後容易離脱防止用の突隆部と、前記左右一対の嵌入片が、前記被嵌合部に嵌入する際の左右間の姿勢バランスを安定に保つためのバランス保持部とが設けられていることを特徴とする嵌合部材。
【請求項３】
基体と、被嵌合部に嵌入される左右一対の嵌入片とを備える嵌合部材であって、
前記一対の嵌入片は、前記被嵌合部への嵌入を可能とするための所定の可撓性を有すると共に、相対向して、かつ、互いに所定距離隔てられる態様で、前記基体の一の面に立設され、
各嵌入片には、その先端部の外方側に嵌入後容易離脱防止用の突隆部と、該突隆部を、対応する嵌入片の側縁部に向かって下降傾斜する方向に切り欠く態様の斜め切欠部とが設けられていて、前記嵌入片が前記被嵌合部に嵌入される際、前記斜め切欠部が、前記一対の嵌入片の左右間の姿勢バランスを安定状態に保持するバランス保持部として機能することを特徴とする嵌合部材。
【請求項４】
基体と、被嵌合部に嵌入される左右一対の嵌入片とを備えると共に、嵌入後、前記被嵌合部に対して摺動可能な構成で使用される嵌合部材であって、
前記一対の嵌入片は、前記被嵌合部への嵌入を可能とするための所定の可撓性を有すると共に、相対向して、かつ、互いに所定距離隔てられる態様で、前記基体の一の面に立設され、
各嵌入片には、その先端部の外方側に嵌入後容易離脱防止用の突隆部と、該突隆部を、対応する嵌入片の側縁部に向かって下降傾斜する方向に切り欠く態様の斜め切欠部とが設けられていて、前記嵌入片が前記被嵌合部に嵌入される際、前記斜め切欠部が、前記一対の嵌入片の左右間の姿勢バランスを安定状態に保持するバランス保持部として機能することを特徴とする嵌合部材。
【請求項５】
左右一対の前記嵌入片において、左側の前記斜め切欠部と、右側の前記斜め切欠部とは、互いに面対称に形成されていることを特徴とする請求項３又は４記載の嵌合部材。
【請求項６】
プレートと、該プレートの裏面側に設けられて、被嵌合部に嵌入される左右一対の嵌入片と、同じく前記プレートの裏面側に設けられて、前記被嵌合側に配設されたレバーを把持するための把持部と、前記プレートの表面側に設けられて、操作者が操作するための爪掛け部とを備えると共に、嵌入後、前記被嵌合部に対して摺動可能な構成とされて、前記レバーを操作するレバー操作部材であって、
前記一対の嵌入片は、前記被嵌合部への嵌入を可能とするための所定の可撓性を有すると共に、相対向して、かつ、互いに所定距離隔てられる態様で、前記プレートの前記裏面に立設され、
各嵌入片には、その先端部の外方側に嵌入後容易離脱防止用の突隆部と、前記左右一対の嵌入片が、前記被嵌合部に嵌入する際の左右間の姿勢バランスを安定に保つためのバランス保持部とが設けられていることを特徴とするレバー操作部材。
【請求項７】
プレートと、該プレートの裏面側に設けられて、被嵌合部に嵌入される左右一対の嵌入片と、同じく前記プレートの裏面側に設けられて、前記被嵌合側に配設されたレバーを把持するための把持部と、前記プレートの表面側に設けられて、操作者が操作するための爪掛け部とを備えると共に、嵌入後、前記被嵌合部に対して摺動可能な構成とされて、前記レバーを操作するレバー操作部材であって、
前記一対の嵌入片は、前記被嵌合部への嵌入を可能とするための所定の可撓性を有すると共に、相対向して、かつ、互いに所定距離隔てられる態様で、前記プレートの前記裏面に立設され、
各嵌入片には、その先端部の外方側に嵌入後容易離脱防止用の突隆部と、該突隆部を、対応する嵌入片の側縁部に向かって下降傾斜する方向に切り欠く態様の斜め切欠部とが設けられていて、前記嵌入片が前記被嵌合部に嵌入される際、前記斜め切欠部が、前記一対の嵌入片の左右間の姿勢バランスを安定状態に保持するバランス保持部として機能することを特徴とするレバー操作部材。
【請求項８】
左右一対の前記嵌入片において、左側の前記斜め切欠部と、右側の前記斜め切欠部とは、互いに面対称に形成されていることを特徴とする請求項７記載のレバー操作部材。
【請求項９】
前記各嵌入片は、前記プレートに対して起立する起立片と、前記突隆部と、前記斜め切欠部とを有してなり、前記斜め切欠部の切欠面は、該切欠面と前記起立面とのなす角が、略直角又はやや鈍角である態様に形成されていることを特徴とする請求項７記載のレバー操作部材。
【請求項１０】
前記プレート、前記一対の嵌入片と、前記突隆部と、前記斜め切欠部と、前記把持部と、前記爪掛け部とが、一体成形された合成樹脂からなることを特徴とする請求項７記載のレバー操作部材。
【請求項１１】
所定のレバーを操作するために、請求項６乃至１０の何れか１つに記載のレバー操作部材を備えてなることを特徴とする携帯電話機器。
【請求項１２】
プレートと、該プレートの裏面側に設けられて、被嵌合部に嵌入される左右一対の嵌入片と、同じく前記プレートの裏面側に設けられて、電子カメラユニットの機械的構成要素として前記被嵌合部側に配設された、接写撮影モードと通常撮影モードとの間の切換を行うためのマクロレバーを把持するための把持部と、前記プレートの表面側に設けられて、操作者が操作するための爪掛け部とを備えると共に、嵌入後、前記被嵌合部に対してスライド可能な構成とされて、前記マクロレバーを操作することにより、撮影モードの切換を行うスライドスイッチ部材であって、
前記一対の嵌入片は、前記被嵌合部への嵌入を可能とするための所定の可撓性を有すると共に、相対向して、かつ、互いに所定距離隔てられる態様で、前記プレートの前記裏面に立設され、
各嵌入片には、その先端部の外方側に嵌入後容易離脱防止用の突隆部と、前記左右一対の嵌入片が、前記被嵌合部に嵌入する際の左右間の姿勢バランスを安定に保つためのバランス保持部とが設けられていることを特徴とするスライドスイッチ部材。
【請求項１３】
プレートと、該プレートの裏面側に設けられて、被嵌合部に嵌入される左右一対の嵌入片と、同じく前記プレートの裏面側に設けられて、電子カメラユニットの機械的構成要素として前記被嵌合部側に配設された、接写撮影モードと通常撮影モードとの間の切換を行うためのマクロレバーを把持するための把持部と、前記プレートの表面側に設けられて、操作者が操作するための爪掛け部とを備えると共に、嵌入後、前記被嵌合部に対してスライド可能な構成とされて、前記マクロレバーを操作することにより、撮影モードの切換を行うスライドスイッチ部材であって、
前記一対の嵌入片は、前記被嵌合部への嵌入を可能とするための所定の可撓性を有すると共に、相対向して、かつ、互いに所定距離隔てられる態様で、前記プレートの前記裏面に立設され、
各嵌入片には、その先端部の外方側に嵌入後容易離脱防止用の突隆部と、該突隆部を、対応する嵌入片の側縁部に向かって下降傾斜する方向に切り欠く態様の斜め切欠部とが設けられていて、前記嵌入片が前記被嵌合部に嵌入される際、前記斜め切欠部が、前記一対の嵌入片の左右間の姿勢バランスを安定状態に保持するバランス保持部として機能することを特徴とするスライドスイッチ部材。
【請求項１４】
左右一対の前記嵌入片において、左側の前記斜め切欠部と、右側の前記斜め切欠部とは、互いに面対称に形成されていることを特徴とする請求項１３記載のスライドスイッチ部材。
【請求項１５】
前記各嵌入片は、前記プレートに対して起立する起立片と、前記突隆部と、前記斜め切欠部とを有してなり、前記斜め切欠部の切欠面は、該切欠面と前記起立面とのなす角が、略直角又はやや鈍角である態様に形成されていることを特徴とする請求項１３記載のスライドスイッチ部材。
【請求項１６】
前記プレート、前記一対の嵌入片と、前記突隆部と、前記斜め切欠部と、前記把持部と、前記爪掛け部とが、一体成形された合成樹脂からなることを特徴とする請求項１３記載のスライドスイッチ部材。
【請求項１７】
電子カメラユニットを備える携帯電話機器であって、
前記電子カメラユニットの機械的構成要素として、接写撮影モードと通常撮影モードとの間の切換を行うためのマクロレバーを操作するために、請求項１２乃至１６の何れか１つに記載のスライドスイッチ部材を備えてなることを特徴とする携帯電話機器。
【請求項１８】
請求項１又は２記載の嵌合部材を被嵌合部材に嵌合する方法であって、
左右の前記嵌入片にそれぞれ設けられた前記バランス保持部を、前記被嵌合部のエッジのうち、左右の対応する部位に載置して前記嵌合部材の姿勢を整えた後、当該嵌合部材を押圧して、前記左右一対の嵌入片が前記被嵌合部材に確実に嵌合して取着されるようにすることを特徴とする嵌合部材の嵌合方法。
【請求項１９】
請求項３又は４記載の嵌合部材を被嵌合部材に嵌合する方法であって、
左右の前記嵌入片にそれぞれ設けられた前記斜め切欠部を、前記被嵌合部のエッジのうち、左右の対応する部位に載置して前記嵌合部材の姿勢を整えた後、当該嵌合部材を押圧して、前記左右一対の嵌入片が前記被嵌合部材に確実に嵌合して取着されるようにすることを特徴とする嵌合部材の嵌合方法。
【請求項２０】
請求項６記載のレバー操作部材を被嵌合部材に嵌合する方法であって、
左右の前記嵌入片にそれぞれ設けられた前記バランス保持部を、前記被嵌合部のエッジのうち、左右の対応する部位に載置して前記レバー操作部材の姿勢を整えた後、当該レバー操作部材を押圧して、前記左右一対の嵌入片が前記被嵌合部材に確実に嵌合して取着されるようにすると共に、前記把持部に、前記被嵌合側に配設されたレバーを把持させることを特徴とするレバー操作部材の嵌合方法。
【請求項２１】
請求項７記載のレバー操作部材を被嵌合部材に嵌合する方法であって、
左右の前記嵌入片にそれぞれ設けられた前記斜め切欠部を、前記被嵌合部のエッジのうち、左右の対応する部位に載置して前記レバー操作部材の姿勢を整えた後、当該レバー操作部材を押圧して、前記左右一対の嵌入片が前記被嵌合部材に確実に嵌合して取着されるようにすると共に、前記把持部に、前記被嵌合側に配設されたレバーを把持させることを特徴とするレバー操作部材の嵌合方法。
【請求項２２】
請求項１２記載のスライドスイッチ部材を被嵌合部材に嵌合する方法であって、
左右の前記嵌入片にそれぞれ設けられた前記バランス保持部を、前記被嵌合部のエッジのうち、左右の対応する部位に載置して前記スライドスイッチ部材の姿勢を整えた後、当該スライドスイッチ部材を押圧して、前記左右一対の嵌入片が前記被嵌合部材に確実に嵌合して取着されるようにすると共に、前記把持部に、前記被嵌合側に配設されたマクロレバーを把持させることを特徴とするスライドスイッチ部材の嵌合方法。
【請求項２３】
請求項１３記載のスライドスイッチ部材を被嵌合部材に嵌合する方法であって、
左右の前記嵌入片にそれぞれ設けられた前記斜め切欠部を、前記被嵌合部のエッジのうち、左右の対応する部位に載置して前記スライドスイッチ部材の姿勢を整えた後、当該スライドスイッチ部材を押圧して、前記左右一対の嵌入片が前記被嵌合部材に確実に嵌合して取着されるようにすると共に、前記把持部に、前記被嵌合側に配設されたマクロレバーを把持させることを特徴とするスライドスイッチ部材の嵌合方法。
【発明の詳細な説明】
【技術分野】
【０００１】
この発明は、嵌合部材、レバー操作部材、スライドスイッチ部材、及びこれらの嵌合方法、並びに携帯電話機器に係り、詳しくは、機器筐体の組立て容易性、組立て迅速性、組立て確実性の向上化に寄与できる嵌合部材、レバー操作部材、スライドスイッチ部材、及びこれらの嵌合方法、並びに、上記スライドスイッチ部材を備える電子携帯電話機器に関する。
【背景技術】
【０００２】
近年、携帯型電子機器の代表たる携帯電話機は、本来の通話機能や、データ通信機能のみならず、撮影機能も備えており、また、撮影機能と言っても、接写撮影（マクロ撮影）機能や通常（標準）撮影機能等多、複数の機能からなっている。このため、電子メールの送受信に際して、送信者は、ときに、通常（標準）撮影モードで撮影した周囲の風景を、ときに、接写（マクロ）撮影モードで撮影した自分自身の顔や書類等を画像データとして添付して受信者側に送信し、受信者はディスプレイ上で相手の様子や書類等を確認できるようになっている。このように多機能化された携帯電話機では、様々な切換操作が必要となり、切換レバーやスライドスイッチ等、切換操作を行う機械部品が上部筐体や下部筐体に取り付けられている。
【０００３】
ここで、上下２つの筐体を備える折畳式の携帯電話機では、テンキー等は下部筐体に、表示装置や電子カメラユニット等は、上部筐体に組み込まれており、これらの上部筐体と下部筐体とは、ヒンジを介して互いに回動可能に連結された構成となっている。
上部筐体は、図７及び図８に示すように、正面を構成するフロントパネル１（図７(ａ)及び図８(ａ)）と、フロントパネル１の背面側に配置されるリアカバーケース２（図７(ｂ)、(ｃ)及び図８(ｂ)、(ｃ)）とから構成され、スライドスイッチ（レバー操作部材）３やマクロレバー（切換レバー）４や鏡筒５やカメラレンズ６やカメラ回路モジュール（図示せず）を含む電子カメラユニットが、リアカバーケース２側に実装されている。上記マクロレバー４は、一端がカメラレンズ６が内蔵された鏡筒５に取り付けられ、他端が、スライドスイッチ３に従動連動する態様に配設され、回転ネジ式に、カメラレンズ６の焦点距離の調整を行うことで、接写撮影（マクロ撮影）モードと通常撮影モードとの間で、撮影モードの切換を行う構成となっている。
【０００４】
図９は、従来のスライドスイッチ３の構成を拡大して示す斜視図、また、図１０は、同スライドスイッチ３がリアカバーケース２の前面に嵌合取着される様子を示す断面図であり、同図(ｂ)は、図７のＡ-Ａ線に沿う断面図である。
従来のスライドスイッチ３は、合成樹脂からなる一体成形品で、同図に示すように、スライドプレート７と、このスライドプレート７の裏面側に設けられて、リアカバーケース２の前面２ａにスライドスイッチ３を取付けるために設けられた、取付け開口部（被嵌合部）８（図７(ｂ)、(ｃ)、図８(ｂ)、(ｃ)、図１０(ｂ)）に嵌入される左右一対の嵌入片９、９と、同じくスライドプレート７の裏面側に設けられて、上記取付け開口部８に重なるように位置決めされたマクロレバー４を把持するための前後一対の把持片１０、１０と、スライドプレート７の表面側に設けられて、操作者が例えば爪を掛けて操作するための爪掛けボタン１１とから構成されている。
【０００５】
上記一対の嵌入片９、９は、取付け開口部８への嵌入を可能とするために、所定の可撓性を有すると共に、相対向して、かつ、互いに所定距離隔てられる態様で、スライドプレート７の裏面に立設され、各嵌入片９、９には、その先端部の外方側に嵌入後容易離脱防止用の突隆部１２、１２が設けられている。ただし、突隆部１２、１２は、スライドスイッチ３を押圧すれば、取付け開口部８内に挿入できるように、前方側に、全体として先細りの傾斜部が設けられていて、一方、スライドスイッチ３を引っ張れば、離脱できるように、後方にも傾斜部が設けられている。
【０００６】
ここで、突隆部１２、１２を除く左右の嵌入片９、９の外側間距離Ｂは、取付け開口部８の横幅Ｃよりも同等か幾分小さく設定されているが、左右の突隆部１２、１２の外側間距離Ｄは、取付け開口部８の横幅Ｃよりも大きく設定されている（図１０(ｂ)参照）。図１０(ｂ)に示すように、スライドスイッチ３が取付け開口部８に嵌合取着された状態では、スライドプレート７は、取付け開口部８の両側縁部に設けられた段部１３、１３に載置された状態で、段部に対して摺動できる構成となっている。
上記構成のスライドスイッチ３は、操作者がフロントパネル１側から操作できるように、フロントパネル１に設けられたスイッチ開口部１４を通して、外部に露出する態様に実装配置されている。
【０００７】
このような構成において、図７に示すように、操作者が、フロントパネル１のスイッチ開口部１４から露出されるスライドスイッチ３を下方にスライドさせると、スライドスイッチ３の下方移動ＤＮに連動して、マクロレバー４が図中反時計回りＸに回転変位することで、接写（マクロ）モードが設定される。次に、図８に示すように、操作者がスライドスイッチ３を上方ＵＰにスライドさせると、スライドスイッチ３の上方移動に連動して、マクロレバー４が図中時計回りＹに回転変位することで、接写（マクロ）モードから通常（標準）撮影モードに切り換えられる（スイッチの連動については、例えば、特許文献１、特許文献２、特許文献３、特許文献４、特許文献５参照）。
【特許文献１】特開２０００−３５６０５号公報
【特許文献２】特開２０００−２８４３４３号公報
【特許文献３】特開平９−１９７４７９号公報
【特許文献４】特開平１１−１６３５５５号公報
【特許文献５】特開２００６−１２９０８９号公報
【発明の開示】
【発明が解決しようとする課題】
【０００８】
ところで、上記構成の携帯電話機を実装・組立てする分野では、スライドスイッチ３の構造上の理由により、次のような不都合な問題があった。
すなわち、上記したように、スライドスイッチ３の各嵌入片９、９には、先端部の外方側に嵌入後の容易離脱防止のために、前方側に先細りの傾斜部を持つ突隆部１２、１２が設けられているため、嵌入時におけるスライドスイッチ３の姿勢安定性が悪く、このため、図１０(ａ)及び図１１に示す仮置き状態から、スライドスイッチ３を押圧して、リアカバーケース２の取付け開口部８に首尾良く嵌合取着しようとしても、図１０(ｃ)に示すように、不測の外力により、斜めに逸れて、嵌入組込みに失敗する、という事態がしばしば生じていた。
このことが、機器筐体の組立て容易性、組立て迅速性、組立て確実性の向上化を妨げる要因となっていた。
【０００９】
この発明は、上述の事情に鑑みてなされたもので、機器筐体への組込み誤りを防止でき、迅速、容易、かつ、確実に嵌合取着することができる嵌合部材、レバー操作部材、スライドスイッチ部材、及びこれらの嵌合方法、並びに、上記スライドスイッチ部材を備える電子携帯電話機器を提供することを目的としている。
【課題を解決するための手段】
【００１０】
上記課題を解決するために、請求項１記載の発明は、基体と、被嵌合部に嵌入される左右一対の嵌入片とを備える嵌合部材に係り、前記一対の嵌入片は、前記被嵌合部への嵌入を可能とするための所定の可撓性を有すると共に、相対向して、かつ、互いに所定距離隔てられる態様で、前記基体の一の面に立設され、各嵌入片には、その先端部の外方側に嵌入後容易離脱防止用の突隆部と、前記左右一対の嵌入片が、前記被嵌合部に嵌入する際の左右間の姿勢バランスを安定に保つためのバランス保持部とが設けられていることを特徴としている。
【００１１】
また、請求項２記載の発明は、基体と、被嵌合部に嵌入される左右一対の嵌入片とを備えると共に、嵌入後、前記被嵌合部に対して摺動可能な構成で使用される嵌合部材に係り、前記一対の嵌入片は、前記被嵌合部への嵌入を可能とするための所定の可撓性を有すると共に、相対向して、かつ、互いに所定距離隔てられる態様で、前記基体の一の面に立設され、各嵌入片には、その先端部の外方側に嵌入後容易離脱防止用の突隆部と、前記左右一対の嵌入片が、前記被嵌合部に嵌入する際の左右間の姿勢バランスを安定に保つためのバランス保持部とが設けられていることを特徴としている。
【００１２】
また、請求項３記載の発明は、基体と、被嵌合部に嵌入される左右一対の嵌入片とを備える嵌合部材に係り、前記一対の嵌入片は、前記被嵌合部への嵌入を可能とするための所定の可撓性を有すると共に、相対向して、かつ、互いに所定距離隔てられる態様で、前記基体の一の面に立設され、各嵌入片には、その先端部の外方側に嵌入後容易離脱防止用の突隆部と、該突隆部を、対応する嵌入片の側縁部に向かって下降傾斜する方向に切り欠く態様の斜め切欠部とが設けられていて、前記嵌入片が前記被嵌合部に嵌入される際、前記斜め切欠部が、前記一対の嵌入片の左右間の姿勢バランスを安定状態に保持するバランス保持部として機能することを特徴としている。
【００１３】
また、請求項４記載の発明は、基体と、被嵌合部に嵌入される左右一対の嵌入片とを備えると共に、嵌入後、前記被嵌合部に対して摺動可能な構成で使用される嵌合部材に係り、前記一対の嵌入片は、前記被嵌合部への嵌入を可能とするための所定の可撓性を有すると共に、相対向して、かつ、互いに所定距離隔てられる態様で、前記基体の一の面に立設され、各嵌入片には、その先端部の外方側に嵌入後容易離脱防止用の突隆部と、該突隆部を、対応する嵌入片の側縁部に向かって下降傾斜する方向に切り欠く態様の斜め切欠部とが設けられていて、前記嵌入片が前記被嵌合部に嵌入される際、前記斜め切欠部が、前記一対の嵌入片の左右間の姿勢バランスを安定状態に保持するバランス保持部として機能することを特徴としている。
【００１４】
また、請求項５記載の発明は、請求項３又は４記載の嵌合部材に係り、左右一対の前記嵌入片において、左側の前記斜め切欠部と、右側の前記斜め切欠部とは、互いに面対称に形成されていることを特徴としている。
【００１５】
また、請求項６記載の発明は、プレートと、該プレートの裏面側に設けられて、被嵌合部に嵌入される左右一対の嵌入片と、同じく前記プレートの裏面側に設けられて、前記被嵌合側に配設されたレバーを把持するための把持部と、前記プレートの表面側に設けられて、操作者が操作するための爪掛け部とを備えると共に、嵌入後、前記被嵌合部に対して摺動可能な構成とされて、前記レバーを操作するレバー操作部材に係り、前記一対の嵌入片は、前記被嵌合部への嵌入を可能とするための所定の可撓性を有すると共に、相対向して、かつ、互いに所定距離隔てられる態様で、前記プレートの前記裏面に立設され、各嵌入片には、その先端部の外方側に嵌入後容易離脱防止用の突隆部と、前記左右一対の嵌入片が、前記被嵌合部に嵌入する際の左右間の姿勢バランスを安定に保つためのバランス保持部とが設けられていることを特徴としている。
【００１６】
請求項７記載の発明は、プレートと、該プレートの裏面側に設けられて、被嵌合部に嵌入される左右一対の嵌入片と、同じく前記プレートの裏面側に設けられて、前記被嵌合側に配設されたレバーを把持するための把持部と、前記プレートの表面側に設けられて、操作者が操作するための爪掛け部とを備えると共に、嵌入後、前記被嵌合部に対して摺動可能な構成とされて、前記レバーを操作するレバー操作部材に係り、前記一対の嵌入片は、前記被嵌合部への嵌入を可能とするための所定の可撓性を有すると共に、相対向して、かつ、互いに所定距離隔てられる態様で、前記プレートの前記裏面に立設され、各嵌入片には、その先端部の外方側に嵌入後容易離脱防止用の突隆部と、該突隆部を、対応する嵌入片の側縁部に向かって下降傾斜する方向に切り欠く態様の斜め切欠部とが設けられていて、前記嵌入片が前記被嵌合部に嵌入される際、前記斜め切欠部が、前記一対の嵌入片の左右間の姿勢バランスを安定状態に保持するバランス保持部として機能することを特徴としている。
【００１７】
また、請求項８記載の発明は、請求項７記載のレバー操作部材に係り、左右一対の前記嵌入片において、左側の前記斜め切欠部と、右側の前記斜め切欠部とは、互いに面対称に形成されていることを特徴としている。
【００１８】
また、請求項９記載の発明は、請求項７記載のレバー操作部材に係り、前記各嵌入片が、前記プレートに対して起立する起立片と、前記突隆部と、前記斜め切欠部とを有してなり、前記斜め切欠部の切欠面は、該切欠面と前記起立面とのなす角が、略直角又はやや鈍角である態様に形成されていることを特徴としている。
【００１９】
また、請求項１０記載の発明は、請求項７記載のレバー操作部材に係り、前記プレート、前記一対の嵌入片と、前記突隆部と、前記斜め切欠部と、前記把持部と、前記爪掛け部とが、一体成形された合成樹脂からなることを特徴としている。
【００２０】
また、請求項１１記載の発明は、携帯電話機器に係り、所定のレバーを操作するために、請求項６乃至１０の何れか１つに記載のレバー操作部材を備えてなることを特徴としている。
【００２１】
また、請求項１２記載の発明は、プレートと、該プレートの裏面側に設けられて、被嵌合部に嵌入される左右一対の嵌入片と、同じく前記プレートの裏面側に設けられて、電子カメラユニットの機械的構成要素として前記被嵌合部側に配設された、接写撮影モードと通常撮影モードとの間の切換を行うためのマクロレバーを把持するための把持部と、前記プレートの表面側に設けられて、操作者が操作するための爪掛け部とを備えると共に、嵌入後、前記被嵌合部に対してスライド可能な構成とされて、前記マクロレバーを操作することにより、撮影モードの切換を行うスライドスイッチ部材に係り、前記一対の嵌入片は、前記被嵌合部への嵌入を可能とするための所定の可撓性を有すると共に、相対向して、かつ、互いに所定距離隔てられる態様で、前記プレートの前記裏面に立設され、各嵌入片には、その先端部の外方側に嵌入後容易離脱防止用の突隆部と、前記左右一対の嵌入片が、前記被嵌合部に嵌入する際の左右間の姿勢バランスを安定に保つためのバランス保持部とが設けられていることを特徴としている。
【００２２】
また、請求項１３記載の発明は、プレートと、該プレートの裏面側に設けられて、被嵌合部に嵌入される左右一対の嵌入片と、同じく前記プレートの裏面側に設けられて、電子カメラユニットの機械的構成要素として前記被嵌合部側に配設された、接写撮影モードと通常撮影モードとの間の切換を行うためのマクロレバーを把持するための把持部と、前記プレートの表面側に設けられて、操作者が操作するための爪掛け部とを備えると共に、嵌入後、前記被嵌合部に対してスライド可能な構成とされて、前記マクロレバーを操作することにより、撮影モードの切換を行うスライドスイッチ部材に係り、前記一対の嵌入片は、前記被嵌合部への嵌入を可能とするための所定の可撓性を有すると共に、相対向して、かつ、互いに所定距離隔てられる態様で、前記プレートの前記裏面に立設され、各嵌入片には、その先端部の外方側に嵌入後容易離脱防止用の突隆部と、該突隆部を、対応する嵌入片の側縁部に向かって下降傾斜する方向に切り欠く態様の斜め切欠部とが設けられていて、前記嵌入片が前記被嵌合部に嵌入される際、前記斜め切欠部が、前記一対の嵌入片の左右間の姿勢バランスを安定状態に保持するバランス保持部として機能することを特徴としている。
【００２３】
また、請求項１４記載の発明は、請求項１３記載のスライドスイッチ部材に係り、左右一対の前記嵌入片において、左側の前記斜め切欠部と、右側の前記斜め切欠部とは、互いに面対称に形成されていることを特徴としている。
【００２４】
また、請求項１５記載の発明は、請求項１３記載のスライドスイッチ部材に係り、前記各嵌入片が、前記プレートに対して起立する起立片と、前記突隆部と、前記斜め切欠部とを有してなり、前記斜め切欠部の切欠面は、該切欠面と前記起立面とのなす角が、略直角又はやや鈍角である態様に形成されていることを特徴としている。
【００２５】
また、請求項１６記載の発明は、請求項１３記載のスライドスイッチ部材に係り、前記プレート、前記一対の嵌入片と、前記突隆部と、前記斜め切欠部と、前記把持部と、前記爪掛け部とが、一体成形された合成樹脂からなることを特徴としている。
【００２６】
また、請求項１７記載の発明は、電子カメラユニットを備える携帯電話機器に係り、前記電子カメラユニットの機械的構成要素として、接写撮影モードと通常撮影モードとの間の切換を行うためのマクロレバーを操作するために、請求項１２乃至１６の何れか１つに記載のスライドスイッチ部材を備えてなることを特徴としている。
【００２７】
また、請求項１８記載の発明は、請求項１又は２記載の嵌合部材を被嵌合部材に嵌合する方法に係り、左右の前記嵌入片にそれぞれ設けられた前記バランス保持部を、前記被嵌合部のエッジのうち、左右の対応する部位に載置して前記嵌合部材の姿勢を整えた後、当該嵌合部材を押圧して、前記左右一対の嵌入片が前記被嵌合部材に確実に嵌合して取着されるようにすることを特徴としている。
【００２８】
また、請求項１９記載の発明は、請求項３又は４記載の嵌合部材を被嵌合部材に嵌合する方法に係り、左右の前記嵌入片にそれぞれ設けられた前記斜め切欠部を、前記被嵌合部のエッジのうち、左右の対応する部位に載置して前記嵌合部材の姿勢を整えた後、当該嵌合部材を押圧して、前記左右一対の嵌入片が前記被嵌合部材に確実に嵌合して取着されるようにすることを特徴としている。
【００２９】
また、請求項２０記載の発明は、請求項６記載のレバー操作部材を被嵌合部材に嵌合する方法に係り、左右の前記嵌入片にそれぞれ設けられた前記バランス保持部を、前記被嵌合部のエッジのうち、左右の対応する部位に載置して前記レバー操作部材の姿勢を整えた後、当該レバー操作部材を押圧して、前記左右一対の嵌入片が前記被嵌合部材に確実に嵌合して取着されるようにすると共に、前記把持部に、前記被嵌合側に配設されたレバーを把持させることを特徴としている。
【００３０】
また、請求項２１記載の発明は、請求項７記載のレバー操作部材を被嵌合部材に嵌合する方法に係り、左右の前記嵌入片にそれぞれ設けられた前記斜め切欠部を、前記被嵌合部のエッジのうち、左右の対応する部位に載置して前記レバー操作部材の姿勢を整えた後、当該レバー操作部材を押圧して、前記左右一対の嵌入片が前記被嵌合部材に確実に嵌合して取着されるようにすると共に、前記把持部に、前記被嵌合側に配設されたレバーを把持させることを特徴としている。
【００３１】
また、請求項２２記載の発明は、請求項１２記載のスライドスイッチ部材を被嵌合部材に嵌合する方法に係り、左右の前記嵌入片にそれぞれ設けられた前記バランス保持部を、前記被嵌合部のエッジのうち、左右の対応する部位に載置して前記スライドスイッチ部材の姿勢を整えた後、当該スライドスイッチ部材を押圧して、前記左右一対の嵌入片が前記被嵌合部材に確実に嵌合して取着されるようにすると共に、前記把持部に、前記被嵌合側に配設されたマクロレバーを把持させることを特徴としている。
【００３２】
また、請求項２３記載の発明は、請求項１３記載のスライドスイッチ部材を被嵌合部材に嵌合する方法に係り、左右の前記嵌入片にそれぞれ設けられた前記斜め切欠部を、前記被嵌合部のエッジのうち、左右の対応する部位に載置して前記スライドスイッチ部材の姿勢を整えた後、当該スライドスイッチ部材を押圧して、前記左右一対の嵌入片が前記被嵌合部材に確実に嵌合して取着されるようにすると共に、前記把持部に、前記被嵌合側に配設されたマクロレバーを把持させることを特徴としている。
【発明の効果】
【００３３】
この発明の嵌合部材、レバー操作部材、及びスライドスイッチ部材の構成によれば、左右の嵌入片が被嵌合部に嵌入する際の左右間の姿勢バランスを正常かつ安定に保つためのバランス保持部、あるいは、バランス保持部として機能する斜め切欠部が設けられているので、機器筐体への組込み誤りを防止でき、迅速、容易、かつ、確実に嵌合取着することができる。それゆえ、機器筐体の組立て容易性、組立て迅速性、及び組立て確実性の向上に寄与できる。とりわけ、不測の外力の影響を受け易い小型の嵌合部材、レバー操作部材、及びスライドスイッチ部材にこの発明を適用して好適である。
【発明を実施するための最良の形態】
【００３４】
この発明の実施形態としてのスライドスイッチ１５は、スライドプレート１６と、このスライドプレート１６の裏面側に設けられて、リアカバーケース２の取付け開口部８に嵌入される左右一対の嵌入片１７、１７と、同じく裏面側に設けられて、マクロレバー４を把持するための前後一対の把持片１８、１８と、スライドプレート１５の表面側に設けられて、操作者が爪を掛けて操作するための爪掛けボタン２２とから構成されている。各嵌入片１７には、突隆部２３を、対応する嵌入片１７の側縁部に向かって下降傾斜する方向に切り欠く態様の斜め切欠部２４が設けられている。左右の斜め切欠部２４、２４は、組立時、嵌入片１７、１７が取付け開口部８に嵌入される際、協働して、一対の嵌入片１７、１７の左右間の姿勢バランスを安定状態に保持する機能を担っている。
【実施例１】
【００３５】
図１は、この発明の第１実施例であるスライドスイッチの構成を拡大して示す斜視図、図２は、折畳式の携帯電話機を構成する上部筐体の組立途中の状態を示す斜視図であり、同スライドスイッチの装着（嵌着）方法の説明に供される斜視図、図３は、同断面図、また、図４は、同工程断面図である。
【００３６】
この例のスライドスイッチ１５は、携帯電話機に組み込まれた電子カメラユニットの機械的構成要素として、マクロレバー４を従動連動させて、接写撮影モードと通常撮影モードとの間の切換を行う切換スイッチとして用いられるものである。
上記スライドスイッチ１５は、例えば、ポリオキシメチレン（ＰＯＭ）等の合成樹脂からなる一体成形品で、図１に示すように、スライドプレート１６と、このスライドプレート１６の裏面側に設けられて、リアカバーケース２の前面２ａにスライドスイッチ１５を取着するために設けられた、取付け開口部（被嵌合部）８（図７(ｂ)、図８(ｂ)）に嵌入される左右一対の嵌入片１７、１７と、同じくスライドプレート１６の裏面側に設けられて、上記取付け開口部８に重なるように位置決めされたマクロレバー４を把持するための前後一対の把持片１８、１８と、逆向き挿入を防止するための逆挿入防止部１９と、操作感（クリック感）を惹起させる役割も担うストッパ２０と、嵌合後の摺動性調整用の小突起２１、２１と、スライドプレート１５の表面側に設けられて、操作者が例えば爪を掛けて操作するための爪掛けボタン２２とから概略構成されている。
【００３７】
ここで、上部筐体を構成するフロントパネル１とリアカバーケース２との各構成部分は、図７及び図８の各部と同一であるので、この実施例でも、図７及び図８を参照して、対応各部には、同一符号を用いて、その説明を簡略化する。
【００３８】
上記一対の嵌入片１７、１７は、取付け開口部８への嵌入を可能とするために、所定の可撓性を有すると共に、相対向して、かつ、互いに所定距離隔てられる態様で、スライドプレート１６の裏面に立設され、各嵌入片１７、１７には、その先端部の外方側に嵌入後容易離脱防止用の突隆部２３、２３が設けられている。ただし、突隆部２３、２３は、スライドスイッチ１５を押圧すれば、取付け開口部８内に挿入できるように、前方側に、全体として先細りの傾斜部が設けられていて、一方、スライドスイッチ１５を引っ張れば、離脱できるように、後方にも傾斜部が設けられている。
【００３９】
ここで、突隆部２３、２３を除く左右の嵌入片１７、１７の外側間距離Ｅは、取付け開口部８の横幅Ｆよりも同等か幾分小さく設定されているが、左右の突隆部２３、２３の外側間距離Ｇは、取付け開口部８の横幅Ｆよりも大きく設定されている（図４(ｂ)参照）。図４(ｂ)に示すように、スライドスイッチ１５が取付け開口部８に嵌合取着された状態では、スライドプレート１６は、取付け開口部８の両側縁部に設けられた段部１３、１３に載置された状態で、段部に対して摺動できる構成となっている。
上記構成のスライドスイッチ１５は、操作者がフロントパネル１側から操作できるように、フロントパネル１に設けられたスイッチ開口部１４を通して、外部に露出する態様に実装配置されている。この例の構成は、上記した限りでは、従来技術で説明したと概略同様である。
【００４０】
しかしながら、この例のスライドスイッチ１５が、図９に示す従来のスライドスイッチ３と大きく異なるところは、図１に示すように、各嵌入片１７には、突隆部２３を、対応する嵌入片１７の側縁部に向かって下降傾斜する方向に切り欠く態様の斜め切欠部２４が設けられている点である。ここで、左右の斜め切欠部２４、２４は、上部筐体組立時の１工程として、嵌入片１７、１７が取付け開口部８に嵌入される際、協働して、一対の嵌入片１７、１７の左右間の姿勢バランスを安定状態に保持する機能（バランス保持機能）を担っている。つまり、この例の嵌入片１７、１７は、スライドプレート１６に対して起立する起立片２５と、突隆部２３、２３と、斜め切欠部２４とを有し、斜め切欠部２４の切欠面２４ａは、切欠面２４ａと起立面とのなす角が、略直角又はやや鈍角に形成されている。なお、左右の斜め切欠部２４、２４は、互いに面対称に形成されることが好ましいが、必ずしも、面対称でなくても、バランス保持機能は担保されるので、面対称は必須の要件ではない。
【００４１】
次に、図２乃至図４を参照して、この例の組立動作について説明する。
上記構成のスライドスイッチ１５を、組立中の携帯電話機の上部筐体に装着（嵌着）するには、左右の嵌入片１７、１７をいきなりリアカバーケース２の前面２ａに設けられた取付け開口部８に嵌入させるのではなく、まず、左右の斜め切欠部２４、２４を、リアカバーケース２側の取付け開口部８の両側縁部に設けられた段部１３、１３に載置（仮置き）してスライドスイッチ１５の左右の姿勢を整える。この仮置き状態では、図２、図３、及び図４(ａ)に示すように、スライドプレート１６の一端側（斜め切欠部２４、２４が設けられている側の端部）がリアカバーケース２側の取付け開口部８の対応する一端側段部に当接状態となり、スライドプレート１６の他端側は、宙に浮いた状態となる。
【００４２】
この状態において、次に、スライドスイッチ１５を押圧すると、左右一対の嵌入片１７、１７がリアカバーケース２側の取付け開口部８に確実に嵌合されて、スライドスイッチ１５が取付け開口部８に取着される。なお、この実施例では、スライドスイッチ１５が取付け開口部８に嵌合取着されると、図３に示すように、取付け開口部８の真下に配置されたマクロレバー４の上部突起４ａが、前後一対の把持片１８、１８によって、把持されるように、対応各部の位置関係が設定されている。
【００４３】
かくして、操作者が、スライドスイッチ１５を下方にスライドさせると、マクロレバー４の上部突起４ａが、把持片１８、１８によって、把持されているので、スライドスイッチ１５の下方移動に連動して、マクロレバー４がある方向に回転変位するので、接写（マクロ）モードが設定される。次に、操作者がスライドスイッチ１５を上方にスライドさせると、スライドスイッチ１５の上方移動に連動して、マクロレバー４が反対方向に回転変位するので、接写モードから通常撮影モードに切り換えられる。
【００４４】
このように、この例の構成によれば、左右の嵌入片が被嵌合部に嵌入する際の左右間の姿勢バランスを安定に保つ斜め切欠部（バランス保持部）が設けられていて、斜め切欠部（切欠面）による仮置き状態では、先端部のごく一部が左右均等の挿入状態となっているので、例え、不測の外力を受けたとしても、機器筐体への組込み誤りを防止でき、迅速、容易、かつ、確実に嵌合取着することができる。それゆえ、機器筐体の組立て容易性、組立て迅速性、及び組立て確実性の向上に寄与できる。とりわけ、不測の外力の影響を受け易い小型の嵌合部材、レバー操作部材、及びスライドスイッチ部材等にこの例の構成を適用して好適である。
【実施例２】
【００４５】
図５は、この発明の第２実施例であるスライドスイッチの構成を拡大して示す斜視図である。
この例のスライドスイッチ１５ａでは、斜め切欠部自体が、第１の斜め切欠部２６ａと、第２の斜め切欠部２６ｂとに分断されている。このような構成でも、第１の斜め切欠部２６ａと、第２の斜め切欠部２６ｂとを、リアカバーケース２側の取付け開口部８の両側縁部に設けられた段部１３、１３に載置（仮置き）でき、スライドスイッチ１５の左右の姿勢を整えることができるので、第１実施例で述べたと同様の効果を得ることをできる。
要するに、上部筐体組立時の１工程として、嵌入片１７、１７が取付け開口部８に嵌入される際、協働して、一対の嵌入片１７、１７の左右間の姿勢バランスを安定状態に保持する機能を担うものである限り、第１実施例の斜め切欠部２４に限定されない。例えば、第２の斜め切欠部２６ｂは、柱状のものでも良いし、また、切欠面２４ａは、平端面に限らず、波状面でも良い。
【実施例３】
【００４６】
図６は、この発明の第３実施例である嵌合部材の構成を拡大して示す斜視図である。
この例の発明は、第１実施例及び第２実施例のスライドスイッチ１５、１５ａに適用されるだけではなく、例えば、図６に示すような、摺動性も把持性も必要のない嵌合部材２７に適用することもできる。
【００４７】
以上、この発明の実施例を図面を参照して詳述してきたが、具体的な構成はこの実施例に限られるものではなく、この発明の要旨を逸脱しない範囲の設計の変更等があってもこの発明に含まれる。例えば、この発明の構成は、あらゆる被嵌合部に適用でき、携帯電話機の筐体に限定するものでないことは勿論である。同様に、マクロレバーの切換え用に限定されるものではないことも明らかである。また、斜め切欠部の最適角度は、必要に応じて決定されるべきものである。また、上述の実施例では、斜め切欠部を逆挿入防止部１９側に設けるようにしたが、これに限らず、ストッパ２０側に設けるようにしても良い。また、スライドスイッチの素材は、合成樹脂に限定されない。同様に、一体成形品に限定されない。
【産業上の利用可能性】
【００４８】
広く携帯電子機器筐体の嵌合部品、切換スイッチ部品として適用できる。
【図面の簡単な説明】
【００４９】
【図１】この発明の第１実施例であるスライドスイッチの構成を拡大して示す斜視図である。
【図２】折畳式の携帯電話機を構成する上部筐体の組立途中の状態を示す斜視図であり、同スライドスイッチの装着（嵌着）方法の説明に供される斜視図である。
【図３】同スライドスイッチの装着（嵌着）方法の説明に供される断面図である。
【図４】同スライドスイッチの装着（嵌着）方法の説明に供される断面図である。
【図５】この発明の第２実施例であるスライドスイッチの構成を拡大して示す斜視図である。
【図６】この発明の第３実施例であるスライドスイッチの構成を拡大して示す斜視図である。
【図７】折畳式携帯電話機の上部筐体に組み込まれている電子カメラユニットのうち、スライドスイッチとマクロレバーとの連動機構及び接写撮影モードへの切換動作を示す表裏面図である。
【図８】折畳式携帯電話機の上部筐体に組み込まれている電子カメラユニットのうち、スライドスイッチとマクロレバーとの連動機構及び通常撮影モードへの切換動作を示す表裏面図である。
【図９】従来のスライドスイッチの構成を拡大して示す斜視図である。
【図１０】同スライドスイッチがリアカバーケースの前面に嵌合取着される様子を示す断面図であり、同図(ｂ)は、図７のＡ-Ａ線に沿う断面図である。
【図１１】従来技術の不具合を説明するための斜視図である。
【符号の説明】
【００５０】
１      フロントパネル（携帯電話機器の一部）
２      リアカバーケース（携帯電話機器の一部）
４      マクロレバー（レバー、電子カメラユニットの一部）
５      鏡筒（電子カメラユニットの一部）
６      カメラレンズ６（電子カメラユニットの一部）
８      取付け開口部（被嵌合部）
１３      段部（被嵌合部のエッジのうち、左右の対応する部位）
１５      スライドスイッチ（スライドスイッチ部材、嵌合部材、レバー操作部材）
１６      スライドプレート（基体、プレート）
１７      嵌入片
１８      把持部（把持片）
２２      爪掛けボタン（爪掛け部）
２３      突隆部
２４      斜め切欠部（バランス保持部）
２４ａ      切欠面
２５      起立片
【図１】
2008047415.tif 000003
【図２】
2008047415.tif 000004
【図３】
2008047415.tif 000005
【図４】
2008047415.tif 000006
【図５】
2008047415.tif 000007
【図６】
2008047415.tif 000008
【図７】
2008047415.tif 000009
【図８】
2008047415.tif 000010
【図９】
2008047415.tif 000011
【図１０】
2008047415.tif 000012
【図１１】
2008047415.tif 000013